(57)【特許請求の範囲】
【請求項１】
複数のデータブロックを含むメールを受信する受信手段と、
表示手段を有する外部装置に画像データを出力する出力手段と、
前記受信手段により受信したメールに含まれるデータブロックが、文字データであるか画像データであるかを識別する識別手段と、
前記識別手段による識別の結果に基づき、前記画像データを前記外部装置に出力し、前記文字データを前記外部装置に出力しないよう前記出力手段を制御する制御手段と
を有することを特徴とする携帯端末装置。
【請求項２】
前記制御手段は、前記受信手段により受信したメールに含まれている文字データを前記携帯端末装置の表示手段に表示するよう制御することを特徴とする請求項１に記載の携帯端末装置。
【請求項３】
音声データを出力する音声出力手段をさらに有し、
前記受信手段は、さらに前記音声データを受信し、
前記制御手段は、前記受信手段がメールではなく音声データを受信した場合は、前記音声データを前記音声出力手段から出力するよう制御することを特徴とする請求項１または２に記載の携帯端末装置。
【請求項４】
前記出力手段が、前記画像データと前記識別手段により識別されたデータブロックを出力する場合、前記制御手段は、前記画像データを前記外部装置の表示手段に表示させるためのコマンドを出力するよう制御することを特徴とする請求項１乃至３の何れか１項に記載の携帯端末装置。
【請求項５】
前記携帯端末装置は、携帯電話であることを特徴とする請求項１乃至４の何れか１項に記載の携帯端末装置。
【請求項６】
前記外部装置は、デジタルカメラであることを特徴とする請求項１乃至５の何れか１項に記載の携帯端末装置。
【請求項７】
前記制御手段は、前記受信手段により受信したメールに含まれる画像データのサイズが所定の値以上であるか否か判断し、
前記制御手段が前記画像データのサイズが所定の値以上であると判断した場合、前記画像データと前記識別手段により識別されたデータブロックを前記外部装置に出力するよう制御し、
前記制御手段が前記画像データのサイズが所定の値以上でないと判断した場合、前記画像データと前記識別手段により識別されたデータブロックを前記外部装置に出力しないよう制御することを特徴とする請求項１乃至６のいずれか１項に記載の携帯端末装置。
【請求項８】
前記制御手段は、前記受信手段により受信したメールに含まれる画像データのサイズが所定の値以上でないと判断した場合は、前記画像データを前記携帯端末装置の表示手段に表示するよう制御することを特徴とする請求項７に記載の携帯端末装置。
【請求項９】
請求項１乃至８の何れか１項に記載の携帯端末装置と接続する接続手段と、
前記携帯端末装置の前記出力手段から出力された画像データを受信する受信手段と、
前記受信手段により受信した画像データを表示する表示手段と
を有することを特徴とするデジタルカメラ。
【請求項１０】
表示手段を有する外部装置と通信可能に接続された携帯端末装置の制御方法であって、
複数のデータブロックを含むメールを受信する受信ステップと、
前記携帯端末装置の出力手段から前記外部装置に画像データを出力する出力ステップと、
前記受信ステップにより受信したメールに含まれるデータブロックが、文字データであるか画像データであるかを識別する識別ステップと、
前記識別ステップによる識別の結果に基づき、前記画像データを前記外部装置に出力し、前記文字データを前記外部装置に出力しないよう前記出力手段を制御する制御ステップと
を有することを特徴とする制御方法。
【請求項１１】
表示手段を有する外部装置と通信可能に接続された携帯端末装置の制御方法をコンピュータに実行させるためのプログラムであって、
複数のデータブロックを含むメールを受信する受信ステップと、
前記携帯端末装置の出力手段から前記外部装置に画像データを出力する出力ステップと、
前記受信ステップにより受信したメールに含まれるデータブロックが、文字データであるか画像データであるかを識別する識別ステップと、
前記識別ステップによる識別の結果に基づき、前記画像データを前記外部装置に出力し、前記文字データを前記外部装置に出力しないよう前記出力手段を制御する制御ステップと
をコンピュータに実行させるためのプログラム。
【請求項１２】
請求項１乃至８の何れか１項に記載の携帯端末装置と通信可能に接続されたデジタルカメラの制御方法であって、
前記携帯端末装置の前記出力手段から出力された画像データを受信する受信ステップと、
前記受信ステップにより受信した画像データを表示手段に表示する表示ステップと
を有することを特徴とする制御方法。
【請求項１３】
請求項１乃至８の何れか１項に記載の携帯端末装置と通信可能に接続されたデジタルカメラの制御方法をコンピュータに実行させるためのプログラムであって、
前記携帯端末装置の前記出力手段から出力された画像データを受信する受信ステップと、
前記受信ステップにより受信した画像データを表示手段に表示する表示ステップと
をコンピュータに実行させるためのプログラム。
【発明の詳細な説明】
【０００１】
【発明の属する技術分野】
本発明は、例えば、携帯電話などの携帯端末装置、デジタルカメラ、これらの制御方法、及び、当該制御方法をコンピュータに実行させるためのプログラムに関する。
【０００２】
【従来の技術】
デジタルカメラで撮影した画像は、デジタルデータとして編集する他に、通信等を容易に行うことができるので、銀塩写真とは異なる用途で用いられることが多い。
【０００３】
一般に、ユーザが撮像した画像データやその他のイメージデータを通信するときには、専用の画像通信ソフトウェアを用いて行うが、特に、Ｅ−ｍａｉｌに添付された画像データのように文字データと併せて同時に通信することが多い。
【０００４】
また、近年では情報技術の進歩に伴い、情報は大容量化、多様化、高速化する一方で、移動中や遠隔地でより正確な情報を得るために画像データ通信の需要は増大している。したがって、将来的には携帯性の高いデータ通信システムが求められている。
【０００５】
そこで、現在、上記の文字、画像混在のデータをデータ通信システムで受信して見る形態として、携帯電話を用いる方法がある。携帯電話では、メールツールをインストールした据置型の画像通信装置と同様に、画像を添付したＥ−ｍａｉｌの送受信を行うことができる。その上、携帯性、コスト面で優れており有効なデータ通信システムとして用いることができる。
【０００６】
【発明が解決しようとする課題】
しかし、携帯電話等の小型の情報携帯端末は、その表示画面まで小型であるので、受信した画像データを限られた画面サイズでしか見ることができない問題があった。
【０００７】
また、その表示装置は単一の画像表示画面（ウィンドウ）しか持たないため、メールに含まれる画像データ、並びに文字データを同時に表示して見ることができない問題があった。
【０００８】
したがって、受信したメールデータのうち画像データについては、画像表示に専用の装置があると好ましい。そこで、画像表示装置として一般のディスプレイが考えられる。しかし、そのようにすると良好な画像を表示することができるが、携帯電話が本来持っている携帯性が損なわれてしまう問題がある。
【０００９】
また、通信機能とメール機能を同時に持ち合わせたＰＤＡのような情報携帯端末が現在でも存在するが、電話などの特化した機能を活かす上では、必要に応じて着脱可能な表示装置を選択できるほうが好ましい。
【００１０】
そこで、本発明は、例えば、携帯電話などの小型の表示装置を有する携帯端末装置で受信した画像データをその携帯端末装置の表示装置よりも良好な環境で見ることができるようにすることを目的とする。
【００１１】
【課題を解決するための手段】
本発明の携帯端末装置は、複数のデータブロックを含むメールを受信する受信手段と、表示手段を有する外部装置に画像データを出力する出力手段と、前記受信手段により受信したメールに含まれるデータブロックが、文字データであるか画像データであるかを識別する識別手段と、前記識別手段による識別の結果に基づき、前記画像データを前記外部装置に出力し、前記文字データを前記外部装置に出力しないよう前記出力手段を制御する制御手段とを有する。
【００１２】
本発明のデジタルカメラは、前記携帯端末装置と接続する接続手段と、前記携帯端末装置の前記出力手段から出力された画像データを受信する受信手段と、前記受信手段により受信した画像データを表示する表示手段とを有する。
【００１３】
本発明の制御方法は、表示手段を有する外部装置と通信可能に接続された携帯端末装置の制御方法であって、複数のデータブロックを含むメールを受信する受信ステップと、前記携帯端末装置の出力手段から前記外部装置に画像データを出力する出力ステップと、前記受信ステップにより受信したメールに含まれるデータブロックが、文字データであるか画像データであるかを識別する識別ステップと、前記識別ステップによる識別の結果に基づき、前記画像データを前記外部装置に出力し、前記文字データを前記外部装置に出力しないよう前記出力手段を制御する制御ステップとを有する。
【００１４】
また、本発明の制御方法は、前記携帯端末装置と通信可能に接続されたデジタルカメラの制御方法であって、前記携帯端末装置の前記出力手段から出力された画像データを受信する受信ステップと、前記受信ステップにより受信した画像データを表示手段に表示する表示ステップとを有する。
【００１５】
本発明のプログラムは、表示手段を有する外部装置と通信可能に接続された携帯端末装置の制御方法をコンピュータに実行させるためのプログラムであって、複数のデータブロックを含むメールを受信する受信ステップと、前記携帯端末装置の出力手段から前記外部装置に画像データを出力する出力ステップと、前記受信ステップにより受信したメールに含まれるデータブロックが、文字データであるか画像データであるかを識別する識別ステップと、前記識別ステップによる識別の結果に基づき、前記画像データを前記外部装置に出力し、前記文字データを前記外部装置に出力しないよう前記出力手段を制御する制御ステップとをコンピュータに実行させるためのものである。
【００１６】
また、本発明のプログラムは、前記携帯端末装置と通信可能に接続されたデジタルカメラの制御方法をコンピュータに実行させるためのプログラムであって、前記携帯端末装置の前記出力手段から出力された画像データを受信する受信ステップと、前記受信ステップにより受信した画像データを表示手段に表示する表示ステップとをコンピュータに実行させるためのものである。
【００１９】
【発明の実施の形態】
次に、添付図面を参照しながら本発明の実施の形態について説明する。
【００２０】
（第１の実施の形態）
本実施の形態では、デジタルカメラと携帯電話を接続したシステムにおいて、携帯電話で受信した、画像が添付されたメールのうち、携帯電話がその画像データをデジタルカメラの表示装置に、文字データを携帯電話の表示装置に同時に表示する方法について説明する。
【００２１】
まず、本発明の実施の形態のデータ通信システムの構成を詳細に説明する前に、想定したデータ通信システムの概要について説明する。
図２は、上記想定したデータ通信システムの概要図である。図２において、１０１はデジタルカメラであり、１０２はコントロール画面、１０３はモードダイヤル、１０４はレリーズボタン、１０５は各種設定用ボタン、１０６は光学ファインダ、１０７はカメラ用データ通信コネクタ、１０８はカメラ液晶画面、１０９はカメラ液晶画面表示スイッチである。
【００２２】
デジタルカメラ１０１では、まずモードダイヤル１０３を撮影モードにし、光学ファインダ１０６を覗きながら、或いはカメラ液晶画面１０８に表示するスルー表示画面を見ながらレリーズボタン１０４を押して撮像する。撮像した画像は、図示しない記録媒体に記録する。また、上記記録媒体に記録した画像は、モードダイヤル１０３を再生モードにすることで、その記録媒体から読み出してカメラ液晶画面１０８等で表示することが可能である。
【００２３】
カメラ操作に関する設定は、カメラ各種設定用ボタン１０５を用いて全て行い、液晶画面１０８の点灯は、液晶画面表示スイッチ１０９でＯＮ／ＯＦＦすることができる。また、電源の状態や記録媒体のメモリ残量など、カメラの状態は、コントロール画面１０２上に表示される。
【００２４】
一方、１１０は携帯電話であり、１１１は送受信用アンテナ、１１２は携帯電話液晶画面、１１３は操作用ボタン、１１４は携帯電話用データ通信コネクタである。また、デジタルカメラ１０１と携帯電話１１０とは、通信用コネクタコード１１５により、接続されている。
【００２５】
ユーザは、着信先の番号を操作用ボタン１１３を使って入力し、送受信用アンテナ１１１を介することによって、無線による通話を行う。また、携帯電話液晶画面１１２では、携帯電話における「通話中」、「通信中」など各種操作状態を表示する。
【００２６】
次に、本実施の形態におけるデータ通信システムの構成図を図１のブロック図を参照しながら説明する。
図１において、１はデジタルカメラの全体を示している。２は撮像光学系、３はレンズ、４はＣＣＤ、５はＣＤＳ／ＡＧＣ、６はＡ／Ｄコンバータ、７は第１の信号処理装置、８はＶ−ドライブ、９はタイミングジェネレータ（以下ＴＧと略す）である。
【００２７】
１０は第２の信号処理装置、１１はデータバス、１２はＣＰＵバス、１３はＣＰＵ、１４は記録装置、１５は操作部材を持つユーザインターフェース、１６はディスプレイコントローラ、１７はＶＲＡＭ、１８はＤＲＡＭ等のメモリ、１９は液晶モニタ、２０は外部機器接続部である。外部機器接続部２０は、駆動手段２３、デジタルカメラ通信手段３３、デジタルカメラ外部接続Ｉ／Ｆ２１の複数の構成部から構成されている。
【００２８】
まず、デジタルカメラ１の撮像表示に関する動作について説明する。以下の制御は、図示しない媒体から、記録装置１４のプログラムメモリ上にロードしたソフトウェアをＣＰＵ１３上で起動することで全て行われる。まず、撮像光学系２のレンズ３によってＣＣＤ４に結像した画像を、ＣＤＳ／ＡＧＣ５によって電気信号の振幅やゲインを調整し、Ａ／Ｄコンバータ６を用いてアナログ信号からデジタル信号に変換する。
【００２９】
次に、このデジタル信号を第１の信号処理装置７を用いて、画像の色座標系上の値に変換する。ここで色座標系にはＹ−Ｃ座標系のほか、ＲＧＢ座標系等、様々な色空間の座標系が存在するが、本発明中では特定されるものではない。
【００３０】
また、第１の信号処理装置７からは、ＣＣＤ４の撮像画素数に応じたデータが画素クロックに同期して出力される。すなわち、図１において、第１の信号処理装置７から出力する制御線上の値は画素クロックであり、データ線上の値は実画像データとなる。
【００３１】
さらに、同様に第１の信号処理装置７の制御線上には、ＣＣＤ４の撮像エリアのサイズに応じて制御信号を出力する。すなわち、撮像エリアの１ラインが始まる度にＨＤの信号（水平同期信号）を出力し、撮像エリアの１フィールドおきにＶＤの信号（垂直同期信号）を出力する。
【００３２】
このようにして、撮像光学系２によって撮像して色変換した信号を第１の信号処理装置７の発生する制御信号と同期して出力し、第２の信号処理装置１０に入力する。第２の信号処理装置１０は、主に、メモリ１８とのデータの読み書き、記録装置１４とのデータの読み書き、ディスプレイコントローラ１６の駆動、ＶＲＡＭ１７へのデータ書き込み、ＣＰＵ１３からの信号の変換、撮像光学系への制御信号の送信、などを取り扱うところである。
【００３３】
例えば、画像データを、データバス１１を通じてＶＲＡＭ１７に書き込み、同時にＣＰＵバス１２を通じてディスプレイコントローラ１６を駆動すれば、液晶モニタ１９に画像を表示することができる。
【００３４】
以上のような構成でデジタルカメラ１は、撮像した画像を記録装置１４に記録したり、再生してカメラ上の液晶モニタ１９に表示したりすることができる。
【００３５】
一方、携帯電話については、まず２４は携帯電話全体であり、２５は制御回路、２６はダイヤル操作部、２７は操作状況を表示するモニタ、２８はスピーカ、２９は受信装置、３０は送信装置、３１はマイク、３２はアンテナ、３３は通信用コネクタコードである。
【００３６】
制御回路２５は、携帯電話外部接続Ｉ／Ｆ３４、携帯電話通信手段３５、メモリ３６、画像識別手段３７、文字識別手段３８等の複数の構成部から構成されている。
【００３７】
ここで、携帯電話２４の無線通信の動作について説明する。ただし、以下の制御は、メモリ３６上に常駐するソフトウェアを不図示の携帯電話２４内のＣＰＵ上で起動することで全て行われる。ユーザは、ダイヤル操作部２６から入力した操作に従って制御回路２５を起動し、その制御シーケンスに従って、送信装置２９や受信装置３０を駆動する。
【００３８】
マイク３１から入力した音声は、送信装置３０内でデータの変調や搬送波の重畳をしたのち、アンテナ３２を通じて送信される。
【００３９】
逆に、アンテナ３２が受信したデータは、受信装置２９に入力された後、復調されて音声データが生成される。そして、上記生成された音声データはスピーカ２８を通して発音され、ユーザは受信した音声を聞くことができる。
【００４０】
また、音声データ以外のデータは、メモリ３６にメールの文字データや画像データとして蓄積される。このとき、通信する音声データの着信先や発信元など各操作の内容は、付属のモニタ２７に表示されるように制御回路２５が制御する。
【００４１】
デジタルカメラ１と携帯電話２４は、それぞれの外部接続Ｉ／Ｆ２１、３４が通信用コード３３を介して接続されている。このとき、両方の装置は、ともに不図示の電源から電力が供給され、動作可能状態にある。
【００４２】
次に、デジタルカメラ１と携帯電話２４とを接続し、携帯電話２４で受信した画像、文字が含まれるデジタルデータを、画像データはデジタルカメラの液晶モニタ１９上に表示し、文字データは携帯電話のモニタ２７上に表示する方法について説明する。
【００４３】
まず、携帯電話２４のアンテナ３２からデータが受信されると、受信装置２９によって音声データか否かを判定する。ここで、携帯電話２４で受信したデータが音声データである場合は、受信装置２９で復調した上でスピーカ２８にそのまま出力する。
【００４４】
逆に、音声データでない場合は、受信装置２９を通じて制御回路３０内の携帯電話メモリ３６にデータを蓄積する。したがって、携帯電話メモリ３６に蓄積されたデータには、文字データか画像データの一方、あるいはその両方が含まれており、ユーザは、メールツールによってダイヤル操作部２６を操作してモニタ２７に表示することができる。
【００４５】
以下に、メールツールを起動した時の処理シーケンスについて説明する。図３は、本実施の形態のデータ通信システムにおけるデータ表示の処理手順を示すフローチャートである。なお、ここで用いるメールツールの処理は、携帯電話メモリ３６上に常駐するソフトウェアを不図示の携帯電話２４内のＣＰＵ上で起動することで行われる。
【００４６】
始めに、ステップＳ２０１では、メールツールを起動し、メールブラウザが画面に表示され、携帯電話メモリ３６に蓄積された現在のメールの履歴が表示される。
【００４７】
次に、ステップＳ２０２では、ダイヤル操作部２６により携帯電話メモリ３６に蓄積されたメールの履歴から所望のメールデータが選択されると、メールツールは、選択されたメールを読み出すが、このとき画像データを含むメールデータであれば、ヘッダの異なる複数のデータブロックで構成されたデータとなるため、それらを読み出す。
【００４８】
次に、ステップＳ２０３では、画像識別手段３７が起動して各ブロックデータのヘッダを調べて画像データか否かの判定を行う。ここで、画像データは所定の画像フォーマットに応じたヘッダを構成しているため、画像識別手段３７は、画像フォーマットのヘッダのテンプレートとして情報を予め持っておき、各データの持つヘッダをこのテンプレートと比較することにより画像データであることを識別することができる。
【００４９】
ここで、ステップＳ２０３の判定の結果、ブロックデータが画像データである場合には、ステップＳ２０４に進み、以下のシーケンスに従う。
【００５０】
まず、ステップＳ２０４では、画像識別手段３７によって画像データを携帯電話２４のメモリ３６からデジタルカメラ１のメモリ１８に通信コード３３を通じて転送する。
【００５１】
次に、ステップＳ２０５では、画像識別手段３７はデジタルカメラ１に対してデジタルカメラ１の液晶モニタ１９に画像表示するコマンドを発行する。
【００５２】
一方、デジタルカメラ１の外部機器接続部２０では、携帯電話２４から送信されたデータを駆動手段２３によってデータかコマンドかを判定することができる。ステップＳ２０４において画像データが通信されてきた場合には、そのデータをメモリ１８にそのまま蓄積し、また、ステップＳ２０５でコマンドが通信されてきた場合には、そのコマンドの内容を認識した上で処理を実行する。
【００５３】
次に、ステップＳ２０６では、外部機器接続部２０で通信されたコマンドがデジタルカメラ１の液晶モニタ１９への表示であることを認識すると、先ほど送信された画像データの読み出しとその表示命令をディスプレイコントローラ１６に発行する。
【００５４】
次に、ステップＳ２０７では、これを受けたディスプレイコントローラ１６は、メモリ１８から画像データを読み出してＶＲＡＭ１７に書き込んで液晶モニタ１９へ表示する。その表示後、ステップＳ２１１に進む。
【００５５】
また、ステップＳ２０３の判定の結果、画像識別手段３７がブロックデータを画像データでないと判定した場合は、ステップＳ２０８に進む。
【００５６】
次に、ステップＳ２０８では、文字識別手段３８が起動し、そのデータブロックが文字であるか否かを判定する。ここで、文字識別手段３８は、文字データにはメールの本文が始まることを示すヘッダがあるため、そのヘッダを調べることにより文字データのブロックであるか否かを判定することができる。
【００５７】
ステップＳ２０８の判定の結果、データブロックが文字であった場合には、ステップＳ２０９に進む。
【００５８】
ステップＳ２０９においては、文字識別手段３８は、携帯電話メモリ３６にある文字データをモニタ２７に表示する。その表示後、ステップＳ２１１に進む。
【００５９】
一方、ステップＳ２０８の判定の結果、データブロックが文字でない場合には、ステップＳ２１０に進み、その他のメールのプロパティ情報として処理する。その処理後、ステップＳ２１１に進む。
【００６０】
次に、ステップＳ２１１では、上記一連の処理が１つのメールに含まれる全てのデータブロックについて行われたか否かについての判定を行う。ステップＳ２１１の判定の結果、全ブロックについて処理が終了した場合には、ステップＳ２１２に進み、表示を終了する。一方、ステップ２１１の判定の結果、全データブロックについては処理が終了していない場合には、ステップＳ２０３に戻り、処理が終了していないデータブロックの処理を行う。
【００６１】
なお、図３の処理シーケンスのフローチャートは、あくまでも表示に係るシーケンスを示したものであり、表示終了後での他のメールの選択画面設定、メールツールの終了、メールデータのプロパティを読み出す等のシーケンスについては省略している。
【００６２】
このとき、画像データを添付したメールである場合には、デジタルカメラ１の液晶モニタ１９にはメールに添付された画像データが表示され、一方、メールの文字は携帯電話のモニタ２７に表示されている。
【００６３】
このようにして画像、文字両方のデータをデジタルカメラ１と携帯電話２４の両方の画面を用いて、それぞれ同時に見ることが可能となる。画像と文字の両方を同時に表示する方法としてはパーソナルコンピュータのウィンドウ画面や通信機能を持つ携帯情報端末（ＰＤＡ）などがある。
【００６４】
しかしこれらに比べて、携帯電話、デジタルカメラそれぞれの単体としての本来の機能を維持しつつも、ユーザのニーズに応じて画像データ添付のファイルを文字と同時に見たいときには、これらを接続してみることができるという利点がある。また、デジタルカメラの持つ表示装置を用いることで、ユーザは携帯電話の画面よりも大きくかつ良好な画面を見ることができる。
【００６５】
以上のようにして、デジタルカメラ１と携帯電話２４とを接続したシステムにおいて、携帯電話２４で受信した画像が添付されたＥ−ｍａｉｌのうち、画像データをデジタルカメラ１の表示装置に、文字データを携帯電話２４の表示装置に同時に表示することができる。
【００６６】
なお、本実施の形態では、携帯端末装置として携帯電話２４を例にあげたが、本発明はこれに特化したものではなく、通信機能を持つ携帯端末装置であれば同様のことが言える。また、デジタルカメラ１についても表示機能のついた装置であれば適用可能である。
【００６７】
なお、本実施の形態では、文字データを携帯電話２４の表示装置に表示し、画像データをデジタルカメラ１の表示装置に表示するようにしたが、文字データを画像データと同様にデジタルカメラ１の表示装置に表示をしてもよい。
【００６８】
（第２の実施の形態）
本実施の形態では、デジタルカメラと携帯電話とを接続したシステムにおいて、携帯電話で受信した、画像が添付されたメールのうち、デジタルカメラが画像データをデジタルカメラの表示装置に表示し、携帯電話が文字データを携帯電話の表示装置に同時に表示するものであり、以下その方法について説明する。
【００６９】
図４は、本実施の形態におけるデータ通信システムの構成を示すブロック図である。ここで、図１と同一の機能ブロックについては、同一の番号を付与しており、その詳細な説明は省略する。
【００７０】
本実施の形態におけるデータ通信システムの動作については、第１の実施の形態に示す動作とほぼ同じであるが、異なる点は、画像識別手段３７を携帯電話２４の制御回路２５内に持っているのではなく、デジタルカメラ１の外部機器接続部２０に持っていることである。本実施の形態において、デジタルカメラ１が携帯電話２４で受信したメールデータのうち画像を識別する。その動作を、図５を用いて説明する。
【００７１】
図５は、本実施の形態のデータ通信システムにおけるデータ表示の処理手順を説明するフローチャートである。始めに、ステップＳ４０１は、メールツールを起動すると、メールブラウザが画面に表示され、携帯電話メモリ３６に蓄積された現在のメールの履歴が表示される。
【００７２】
次に、ステップＳ４０２では、ダイヤル操作部２６により携帯電話メモリ３６に蓄積されたメールの履歴から所望のメールデータが選択されると、メールツールは、選択されたメールを読み出す。このとき、画像データを含むメールデータであれば、ヘッダの異なる複数のデータブロックで構成されたデータとなるため、それらを読み出す。
【００７３】
このとき、メールデータは、携帯電話２４内の図示しないワークエリア上に確保されたメモリ領域に格納される。
【００７４】
一方、デジタルカメラ１にある画像識別手段３７は、通信用コード３３で携帯電話２４と接続されると、携帯電話２４内のワークエリア上に新しいデータの書き込みがあったかどうかを検知する機能を持っている。
【００７５】
したがって、携帯電話２４でメールツールが起動され、所望のメールデータが選択されると、そのデータがワークエリア上にアップデートされたことを認識することができる。
【００７６】
ここで、画像識別手段３７が対象となるメールデータを認識する手段としては、本実施の形態の方式に限ったものではない。例えば、携帯電話２４の制御回路内、或いはメールツール上に外部接続機器に対して、ブラウズするメールとそのメモリ位置を通知する手段を持っていても同様である。
【００７７】
このようにして、デジタルカメラ１の画像識別手段３７が対象となるメールのデータ位置がわかると、まず、ステップＳ４０３において、各ブロックデータのヘッダを調べて画像データか否かの判定を行う。ここで、画像データは所定の画像フォーマットに応じたヘッダを構成しているため、画像識別手段３７は、画像フォーマットのヘッダのテンプレートとして情報を予め持っておき、各データの持つヘッダをこのテンプレートと比較することにより画像データであることを識別することができる。
【００７８】
ここで、ステップＳ４０３の判定の結果、ブロックデータが画像データである場合には、ステップＳ４０４に進み、以下のシーケンスに従う。
【００７９】
まず、ステップＳ４０４では、画像識別手段３７によって画像データを携帯電話２４のメモリ３６からデジタルカメラ１のメモリ１８に通信コード３３を通じて転送するコマンドを発行する。
【００８０】
次に、ステップＳ４０５では、デジタルカメラ１から発行するコマンドは、駆動手段２３によって携帯電話２４を制御するためのコマンドに変換されて発行される。
【００８１】
ここで、駆動手段２３はデジタルカメラ１が持ち、携帯電話２４を制御するコマンドに変換しているが、この例に限ったものでなく、携帯電話２４が駆動手段を持ち、外部からのコマンドを変換するようにしてもよい。
【００８２】
このようにして、デジタルカメラ１から携帯電話２４へ転送コマンドが発行されると、次に、ステップＳ４０６において、外部接続Ｉ／Ｆ３４を経由してデジタルカメラ１のメモリ１８に画像データが転送される。
【００８３】
次に、ステップ４０７では、画像識別手段３７がディスプレイコントローラ１６によってメモリ１８から画像データを読み出して、ＶＲＡＭ１７に書き込んで液晶モニタ１９へ表示する。その表示後、ステップＳ４１１に進む。
【００８４】
また、ステップＳ４０３の判定の結果、画像識別手段３７がブロックデータを画像データでないと判定した場合には、これ以上の処理を行わず、ステップＳ４１１にジャンプする。
【００８５】
一方、携帯電話２４において、ステップ４０８では、文字識別手段３８が起動し、そのデータブロックが文字であるか否かを判定する。ここで、文字識別手段３８は、文字データにはメールの本文が始まることを示すヘッダがあるため、そのヘッダを調べることにより文字データのブロックであるか否かを判定することができる。
【００８６】
ステップＳ２０８の判定の結果、データブロックが文字であった場合には、ステップＳ４０９に進む。
【００８７】
次に、ステップＳ４０９において、文字識別手段３８は、携帯電話メモリ３６にあるデータをモニタ２７に表示する。その表示後、ステップＳ４１１に進む。
【００８８】
一方、ステップＳ４０８の判定の結果、データブロックが文字でない場合には、ステップＳ４１０に進み、その他のメールのプロパティ情報として処理する。その処理後、ステップＳ４１１に進む。
【００８９】
次に、ステップＳ４１１では、上記一連の処理を1つのメールに含まれる全てのデータブロックについて行われたか否かについて判定を行う。ステップＳ４１１の判定の結果、全データブロックについて処理が終了した場合には、ステップＳ４１２に進み、表示を終了する。一方、ステップＳ４１１の判定の結果、全データブロックについては処理が終了していない場合には、ステップＳ４０３及びステップＳ４０８に戻り、処理が終了していないデータブロックの処理を行う。
【００９０】
なお、図５の処理シーケンスのフローチャートでは、あくまでも表示にかかるシーケンスを示したものであり、表示終了後での他のメールの選択画面設定、メールツールの終了、メールデータのプロパティを読み出す等のシーケンスについては省略している。
【００９１】
このとき、画像データを添付したメールである場合にはデジタルカメラの液晶モニタ１９には、メールに添付された画像データが表示され、一方、メールの文字は携帯電話のモニタ２７に表示される。
【００９２】
このようにして画像、文字両方のデータをデジタルカメラと携帯電話の両方の画面を用いて、それぞれ同時に見ることが可能となる。
【００９３】
以上のようにして、デジタルカメラと携帯電話を接続したシステムにおいて、携帯電話で受信した画像が添付されたメールのうち、デジタルカメラが画像データをデジタルカメラの表示装置に、携帯電話が文字データを携帯電話の表示装置に同時に表示することができる。
【００９４】
本実施の形態では、携帯端末装置として携帯電話を例にあげたが、これに特化したものではなく、通信機能を持つ携帯端末装置であれば同様のことが言える。また、デジタルカメラについても表示機能のついた装置であれば適用可能である。
【００９５】
なお、本実施の形態では、文字データを携帯電話２４の表示装置に表示し、画像データをデジタルカメラ１の表示装置に表示するようにしたが、文字データを画像データと同様にデジタルカメラ１の表示装置に表示をしてもよい。
【００９６】
（第３の実施の形態）
本実施の形態では、デジタルカメラと携帯電話を接続したシステムにおいて、携帯電話が受信した画像データのサイズを識別して、画像データサイズが所定の閾値以上の画像データを携帯電話の表示装置に表示するものであり、以下その方法について説明する。
【００９７】
図６は、本実施の形態におけるデータ通信システムのブロック構成図を示す。ここで、図１と同一の機能ブロックについては、同一の番号を付与しており、その詳細な説明は省略する。
【００９８】
本実施の形態におけるデータ通信システムの機能ブロックについて、第１の実施の形態における機能ブロックと異なる点は、デジタルカメラ１に画像識別手段３７、文字識別手段３８ではなく、画像情報識別手段３９を有していることである。
【００９９】
次に、デジタルカメラと携帯電話を接続し、携帯電話で受信した画像のうち、画像データサイズが所定の閾値以上の画像データをデジタルカメラの表示装置に、閾値未満の画像データを携帯電話の表示装置に表示する方法について説明する。
【０１００】
まず、携帯電話２４のアンテナ３２からデータが受信されると、受信装置２９によって音声データか否かを判定する。ここで、もし携帯電話２４で受信したデータが音声データである場合は、受信装置２９で復調した上でスピーカ２８にそのまま出力する。
【０１０１】
逆に、音声データでない場合は、受信装置２９を通じて制御回路３０内の携帯電話メモリ３６にデータを蓄積する。蓄積されたデータには、文字データか画像データの一方、あるいはその両方が含まれており、メールツールによってユーザはダイヤル操作部２６を操作してモニタ２７に表示することができる。
【０１０２】
以下に、メールツールを起動し、画像表示の処理シーケンスについて説明する。図７は、本実施の形態のデータ通信システムにおける画像データを表示する手順を説明するフローチャートである。なお、ここで用いるメールツールの処理は、携帯電話メモリ３６上に常駐するソフトウェアを不図示の携帯電話２４内のＣＰＵ上で起動することで行われる。
【０１０３】
また、文字データについては携帯電話の表示装置に表示するものとし、図７における処理シーケンスは、メールツールが画像データであると判定した後のその画像データの処理についてのみ言及する。
【０１０４】
始めに、ステップＳ１２０１で、メールツールを起動すると、メールブラウザが画面に表示され、携帯電話メモリ３６に蓄積された現在のメールの履歴が表示される。
【０１０５】
次に、ステップＳ２０２では、ダイヤル操作部２６により携帯電話メモリ３６に蓄積されたメールの履歴から所望のメールデータが選択されると、メールツールは、選択されたメールを読み出すが、このとき画像データを含むメールデータであれば、その画像データをワークエリアに読み出す。
【０１０６】
次に、ステップＳ１２０３では、画像情報識別手段３９を起動して画像データサイズが所定の閾値以上か否かの判定を行う。ここで、画像データは所定の画像フォーマットに応じたプロパティを構成し、その中に画像のサイズを格納しているため、画像情報識別手段３９は、その画像プロパティから画像サイズを読み出す。また、画像情報識別手段３９は、画像データサイズの所定の閾値を予め持っており、各データの持つ画像サイズをその閾値と比較することにより画像データであることを識別することができる。
【０１０７】
ここで、ステップＳ１２０３の判定の結果、画像データサイズが所定の閾値以上である場合には、ステップＳ１２０４に進み、以下のシーケンスに従う。
【０１０８】
まず、ステップＳ１２０４では、画像情報識別手段３９によって画像データを携帯電話２４のメモリ３６からデジタルカメラ１のメモリ１８に通信コード３３を通じて転送する。
【０１０９】
次に、ステップＳ１２０５では、画像情報識別手段３９はデジタルカメラ１に対してデジタルカメラ１の液晶モニタ１９に画像表示するコマンドを発行する。
【０１１０】
一方、デジタルカメラ１の外部機器接続部２０では、携帯電話２４から送信されたデータを駆動手段２３によってデータかコマンドかを判定することができる。ステップＳ１２０４において画像データが通信されてきた場合には、そのデータをメモリ１８にそのまま蓄積し、また、ステップＳ１２０５でコマンドが通信されてきた場合には、そのコマンドの内容を認識した上で処理を実行する。
【０１１１】
次に、ステップ１２０６では、外部機器接続部２０で通信されたコマンドがデジタルカメラ１の液晶モニタ１９への表示であることを認識すると、先ほど送信された画像データの読み出しとその表示命令をディスプレイコントローラ１６に発行する。
【０１１２】
次に、ステップＳ１２０７では、これを受けたディスプレイコントローラ１６は、メモリ１８から画像データを読み出してＶＲＡＭ１７に書き込んで液晶モニタ１９へ表示する。その表示後、ステップＳ１２０９に進む。
【０１１３】
また、ステップＳ１２０３の判定の結果、画像情報識別手段３９で、画像データサイズが所定の閾値未満であると判定した場合には、ステップＳ１２０８に進み、その画像データを携帯電話２４のモニタ２７にそのまま表示する。その表示後、ステップＳ１２０９に進む。
【０１１４】
次に、ステップＳ１２０９では、上記一連の処理が１つのメールに含まれる全ての画像データについて行われたか否かについての判定を行う。ステップＳ１２０９の判定の結果、全画像データについて処理が終了した場合には、ステップＳ１２１０に進み、表示を終了する。一方、ステップＳ１２０９の判定の結果、全画像データについては処理が終了していない場合には、ステップＳ１２０３に戻り、処理が終了していない画像データの処理を行う。
【０１１５】
なお、図７の処理シーケンスのフローチャートは、あくまでも画像表示に係るシーケンスを示したものであり、表示終了後での他のメールの選択画面設定、メールツールの終了、メールデータのプロパティの読み出し等のシーケンスについては省略している。
【０１１６】
このとき、所定の閾値以上の画像データサイズを持つ画像データは、デジタルカメラ１の液晶モニタ１９に表示され、一方、所定の閾値未満の画像データは、携帯電話２４のモニタ２７に表示される。
【０１１７】
このようにして、画像データのサイズに応じてデジタルカメラ１と携帯電話２４のいずれか適当な表示装置に表示することが可能になる。従来の画像表示においては、パーソナルコンピュータのウィンドウ画面や通信機能を持つ携帯情報端末（ＰＤＡ）などがある。
【０１１８】
しかしこれらに比べて、携帯電話、デジタルカメラそれぞれの単体としての本来の機能を維持しつつも、ユーザのニーズに応じて画後のデータサイズに必要十分な表示装置を提供することができるという利点がある。また、デジタルカメラの持つ表示装置を用いることで、ユーザは携帯電話の画面よりも大きくかつ良好な画面を見ることができる。
【０１１９】
以上のようにして、デジタルカメラ１と携帯電話２４とを接統したシステムにおいて、携帯電話２４で受信した画像データをそのサイズに応じてデジタルカメラ１、及び携帯電話２４のいずれかの表示装置に表示することができる。
【０１２０】
本実施の形態では、携帯端末装置として携帯電話２４を例にあげたが、これに特化したものではなく、通信機能を持つ携帯端末装置であれば同様のことが言える。また、デジタルカメラ１についても表示機能のついた装置であれば適用可能である。
【０１２１】
さらに、本実施の形態では、画像情報識別の基準として画像データのプロパティ情報に含まれる画像データサイズを用いたが、これに限られたものではなく、例えば、画像データのフォーマット、或いは画像データの輝度値、画像データの作成日時等の情報を用いる場合にも同様である。
【０１２２】
（第４の実施の形態）
本実施の形態では、デジタルカメラと携帯電話を接続したシステムにおいて、デジタルカメラが、受信した画像データのサイズを識別して所定の閾値以上の画像データをデジタルカメラの表示装置に、所定の閾値未満の画像データを携帯電話の表示装置に表示するものであり、以下にその方法について説明する。
【０１２３】
図８は、本実施の形態におけるデータ通信システムのブロック構成図を示す。ここで、図６と同一の機能ブロックについては、同一の番号を付与している。
【０１２４】
本実施の形態におけるデータ通信システムの動作については、第３の実施の形態に示す動作とほぼ同じであるが、異なる点は、画像情報識別手段３９を携帯電話２４の制御回路２５内に持っているのではなく、デジタルカメラ１の外部機器接続部２０に持っていることである。本実施の形態において、デジタルカメラ１が携帯電話２４で受信した画像のサイズを識別する。その動作を、第９図を用いて説明する。
【０１２５】
図９は、本実施の形態のデータ通信システムにおける画像データを表示する手順を説明するフローチャートである。
始めに、ステップＳ１４０１では、メールツールを起動し、メールブラウザが画面に表示され、携帯電話メモリ３６に蓄積された現在のメールの履歴が表示される。
【０１２６】
次に、ステップＳ１４０２では、ダイヤル操作部２６により携帯電話メモリ３６に蓄積されたメールの履歴から所望のメールデータが選択されると、メールツールは、選択されたメールを読み出すがこのとき画像データを含むメールデータであれば、その画像データをワークエリアに読み出す。
【０１２７】
このとき、メールデータは、携帯電話２４内の図示しないワークエリア上にメモリを確保してその領域に格納する。
【０１２８】
一方、デジタルカメラ１にある画像情報識別手段３９は、通信用コード３３で携帯電話２４と接続されると、携帯電話２４内のワークエリア上に画像データの書き込みがあったかどうかを検知する機能を持っている。
【０１２９】
従って、携帯電話２４でメールツールが起動され、所望のメールデータが選択されると、その画像データがワークエリア上にアップデートされたことを認識することができる。
【０１３０】
ただし、画像データが含まれないメールの場合には、デジタルカメラ１は以後の動作は行わない。
【０１３１】
ここで、画像情報識別手段３９が対象となるメールデータを認識する手段としては、本実施の形態の方式に限ったものではない。例えば、携帯電話２４の制御回路内、或いはメールツール上に外部接続機器に対して、ブラウズするメールとその画像のメモリ位置を通知する手段を持っていても同様である。
【０１３２】
このようにして、デジタルカメラ１の画像情報識別手段３９で対象となる画像データ位置がわかると、ステップＳ１４０３においてプロパティを調べ、画像データサイズが所定の閾値以上であるか否かの判定を行う。
【０１３３】
ここで、画像データは所定の画像フォーマットに応じたプロパティを構成し、その中に画像のサイズを格納しているため、画像情報識別手段３９は、その画像プロパティから画像サイズを読み出す。また、画像情報識別手段３９は、画像サイズの所定の閾値を予め持っており、各データの持つ画像サイズをその閾値と比較することにより画像データであることを識別することができる。
【０１３４】
ここで、ステップＳ１４０３の判定の結果、画像データが所定の閾値以上である場合には、ステップＳ１４０４に進み、以下のシーケンスに従う。
【０１３５】
まず、ステップＳ１４０４では、画像情報識別手段３９によって画像データを携帯電話２４のメモリ３６からデジタルカメラ１のメモリ１８に通信コード３３を通じて転送するコマンドを発行する。
【０１３６】
次に、ステップＳ１４０５では、デジタルカメラ１から発行するコマンドが駆動手段２３によって携帯電話２４を制御するためのコマンドに変換される。
【０１３７】
ここで、駆動手段２３はデジタルカメラ１が持ち、携帯電話２４を制御するコマンドに変換しているが、この例に限ったものでなく、携帯電話２４が駆動手段を持ち、外部からのコマンドを変換するようにしてもよい。
【０１３８】
このようにして、デジタルカメラ１から携帯電話２４へ転送コマンドが発行されると、次に、ステップＳ１４０６において、外部接続Ｉ／Ｆ３４を経由してデジタルカメラ１のメモリ１８に画像データが転送される。
【０１３９】
次に、ステップＳ１４０７では、画像情報識別手段３９がディスプレイコントローラ１６によってメモリ１８から画像データを読み出して、ＶＲＡＭ１７に書き込んで液晶モニタ１９へ表示する。その表示後、ステップＳ１４０９に進む。
【０１４０】
また、ステップＳ４０３の判定の結果、画像情報識別手段３９で、画像データサイズが所定の閾値未満であると判定した場合には、ステップＳ１４０８に進む。
【０１４１】
次に、ステップＳ１４０８では、携帯電話２４の持つモニタ２７に表示するコマンドを画像情報識別手段３９が駆動手段２３を経由して携帯電話２４に対して発行し、そのコマンドが発行されるとメールツールは通常通り、携帯電話メモリ３６にある画像データをモニタ２７に表示する。その表示後、ステップＳ１４０９に進む。
【０１４２】
次に、ステップＳ１４０９では、上記一連の処理が１つのメールに含まれる全ての画像データについて行われたか否かについての判定を行う。ステップＳ１４０９の判定の結果、全画像データについて処理が終了した場合には、ステップＳ１４１０に進み、表示を終了する。一方、ステップＳ１４０９の判定の結果、全画像データについては処理が終了していない場合には、ステップＳ１４０３に戻り、処理が終了していない画像データの処理を行う。
【０１４３】
なお、図９の処理シーケンスのフローチャートでは、あくまでも表示にかかるシーケンスを示したものであり、表示終了後での他のメールの選択画面設定、メールツールの終了、メールデータのプロパティの読み出し等のシーケンスについては省略している。
【０１４４】
このとき、所定の閾値以上の画像データサイズを持つ画像データは、デジタルカメラ１の液晶モニタ１９に表示され、一方、所定の閾値未満の画像データは、携帯電話２４のモニタ２７に表示される。
【０１４５】
このようにして、画像データのサイズに応じて、デジタルカメラ１と携帯電話２４のいずれか適当な表示装置に表示することが可能となる。
【０１４６】
以上のようにして、デジタルカメラ１と携帯電話２４を接続したシステムにおいて、携帯電話２４で受信した画像データをそのサイズに応じてデジタルカメラ１、携帯電話２４いずれかの表示装置に表示することができる。
【０１４７】
本実施の形態では、携帯端末装置として携帯電話を例にあげたが、これに特化したものではなく、通信機能を持つ携帯端末装置であれば同様のことが言える。また、デジタルカメラについても表示機能のついた装置であれば適用可能である。
【０１４８】
さらに、本実施の形態では、画像情報識別の基準として画像データのプロパティ情報に含まれる画像データのサイズを用いたが、これに限られたものではなく、例えば、画像データのフォーマット、或いは画像データの輝度値、画像データの作成日時等の情報を用いる場合にも同様である。
【０１４９】
（本発明の他の実施の形態）
本発明は複数の機器から構成されるシステムに適用しても１つの機器からなる装置に適用しても良い。
【０１５０】
また、上述した実施の形態の機能を実現するように各種のデバイスを動作させ、上記各種デバイスと接続された装置あるいはシステム内のコンピュータに対し、記憶媒体から、またはインターネット等の伝送媒体を介して上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【０１５１】
また、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１５２】
また、コンピュータが供給されたプログラムコードを実行することにより、上述の実施の形態で説明した機能が実現されるだけでなく、そのプログラムコードがコンピュータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれる。
【０１５３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【０１５４】
【発明の効果】
以上説明したように、本発明によれば、例えば、携帯電話などの小型の表示装置を有する携帯端末装置で受信した画像データをその携帯端末装置の表示装置よりも良好な環境で見ることができる。
【図面の簡単な説明】
【図１】第１の実施の形態におけるデータ通信システムの構成を示すブロック図である。
【図２】本発明の実施の形態におけるデータ通信システムの概要図である。
【図３】第１の実施の形態のデータ通信システムにおけるデータ表示の処理手順を説明するフローチャートである。
【図４】第２の実施の形態におけるデータ通信システムの構成を示すブロック図である。
【図５】第２の実施の形態のデータ通信システムにおけるデータ表示の処理手順を説明するフローチャートである。
【図６】第３の実施の形態におけるデータ通信システムの構成を示すブロック図である。
【図７】第３の実施の形態のデータ通信システムにおける画像データ表示の処理手順を説明するフローチャートである。
【図８】第４の実施の形態におけるデータ通信システムの構成を示すブロック図である。
【図９】第４の実施の形態のデータ通信システムにおける画像データ表示の処理手順を説明するフローチャートである。
【符号の説明】
１  デジタルカメラ
２  撮像光学系
３  レンズ
４  ＣＣＤ
５  ＣＤＳ／ＡＧＣ
６  Ａ／Ｄコンバータ
７  第１の信号処理装置
８  Ｖドライブ
９  タイミングジェネレータ
１０  第２の信号処理装置
１１  データバス
１２  ＣＰＵバス
１３  ＣＰＵ
１４  記録装置
１５  ユーザインターフェース
１６  ディスプレイコントローラ
１７  ＶＲＡＭ
１８  メモリ
１９  液晶モニタ
２０  外部機器接続部
２１  外部接続Ｉ／Ｆ
２２  通信手段
２３  駆動手段
２４  携帯電話
２５  制御回路
２６  ダイヤル操作部
２７  モニタ
２８  スピーカ
２９  受信装置
３０  送信装置
３１  マイク
３２  アンテナ
３３  通信用コード
３４  外部接続Ｉ／Ｆ
３５  通信手段
３６  メモリ
３７  画像識別手段
３８  文字識別手段
３９  画像情報識別手段
【図１】
0004047036.tif 000002
【図２】
0004047036.tif 000003
【図３】
0004047036.tif 000004
【図４】
0004047036.tif 000005
【図５】
0004047036.tif 000006
【図６】
0004047036.tif 000007
【図７】
0004047036.tif 000008
【図８】
0004047036.tif 000009
【図９】
0004047036.tif 000010